(57)【要約】【課題】ルアーロッドを分割可能として携行時における全長を短縮するとともに、使用時においてはブランクスルー型のルアーロッドの感度を具備した新規なルアーロッドを提供する。【解決手段】ルアーロッド１を握持して操作するためのグリップ３０をロッド後端１ａから所定長さＤ離間させてブランク１０に装着してなるルアーロッド１において、ロッド後端１ａとグリップ３０の間の所定箇所に継部２０を形成し、該継部２０においてルアーロッド１を分割可能に形成するとともに、継部２０から先端方向の第１ブランク１０ａを１本のブランクで形成したルアーロッドを基本として提供する。【選択図】図１
2018007584.tif 000002
【特許請求の範囲】
【請求項１】
ルアーロッドを握持して操作するためのグリップをロッド後端から所定長さ離間させてブランクに装着してなるルアーロッドにおいて、
ロッド後端とグリップの間の所定箇所に継部を形成し、該継部においてルアーロッドを分割可能に形成するとともに、継部から先端方向のブランクを１本のブランクで形成したことを特徴とするルアーロッド。
【請求項２】
継部をグリップの近傍に形成した請求項１記載のルアーロッド。
【請求項３】
ブランクを、継部からロッド先端までの第１ブランクと継部からロッド後端までの第２ブランクから形成した請求項１又は２記載のルアーロッド。
【請求項４】
第１ブランクの長さ≦１６０ｃｍ，第２ブランクの長さ≦５０ｃｍであって、ルアーロッドの全長を１６０ｃｍ〜２１０ｃｍとした請求項３記載のルアーロッド。
【請求項５】
継部において、ブランクを分割することにより、携行時におけるルアーロッドの全長を短縮可能とした請求項１，２，３又は４記載のルアーロッド。
【請求項６】
リールを装着するためのリールシートをグリップに一体に形成した請求項１，２，３，４又は５記載のルアーロッド。
【請求項７】
リールシートにスピニングリール又はベイトリールを装着可能とした請求項６記載のルアーロッド。
【請求項８】
グリップを握持して、リールシートに装着されたリールを操作して釣りを行う際に、魚の動作を受け止めるリールシートとグリップから先端方向のブランクに継部が存在しない請求項６又は７記載のルアーロッド。
【発明の詳細な説明】
【技術分野】
【０００１】
本発明は、ルアーフィッシィングを楽しむためのルアーロッドに関し、特にはルアーロッドを分割可能として携行時における全長を短縮するとともに、使用時においてはブランクスルー型のルアーロッドの特性を発揮できるようにしたものである。
【背景技術】
【０００２】
レジャーフィッシングやスポーツフィッシング等のレクリエーションとしての釣りにおいては、ルアー（擬似餌）を使用したルアーフィッシングが盛んである。狙う獲物もカジキ，マグロ，カンパチ，ヒラマサ等からアジ，メバルやイカ等々の大小様々な魚であり、又海水魚から淡水魚まで生息域や生息深度も様々に異なっている。そのため、狙う獲物によって使用するルアーを選択することは勿論、使用するルアーロッドやリールも獲物や当日の釣り環境に対応して種々選択して使用している。
【０００３】
ルアーロッドは使用するリールに対応してスピニングリールを装着するスピニングロッド、ベイトリールを装着するベイトロッドに大別され、更に長さ，弾性，先端の調子など多種多様であり、用途によって様々なタイプが存在する。そのため、ルアーフィッシングを楽しむ場合には、用途に応じて種類の異なる複数本のルアーロッドを準備し、その中から状況に応じて選択して使用したり、交換して使用することが多い。そして、キャスティング動作の多いルアーフィッシィングでは、軽さ，感度，強度などの優位性から、ルアーロッドのブランク（シャフト）を１つのピースから構成した１ピースロッドがよく使用されている。
【０００４】
一方、近時は携行性を考慮して、携行時の全長を短縮することを可能とするために、ルアーロッドを２つに分割可能な２ピースロッドや３つ以上に分割可能なパックロッドも使用されている。例えば、持ち運び時においてはコンパクトな状態でありながら、釣り操作時には、竿の全長を変化させて、対象魚の変更や釣り場の状況に応じた対応を迅速に行うため、インロー継式釣り竿において、元竿を、リールシートを備えた元竿本体とその元竿本体より竿先側に位置する補助竿体とで構成した釣り竿が提供されている（特許文献１）。また、中実構造の第１穂先部と管状構造の第２穂先部とを、安定した接着剤層を確保して安定した取付強度で継ぎ合わせた竿杆を有する釣り竿も提供されている（特許文献２）。
【先行技術文献】
【特許文献】
【０００５】
【特許文献１】特開２００８−１９４００５号
【特許文献２】特開２００９−１７８１３１号
【発明の概要】
【発明が解決しようとする課題】
【０００６】
一般に２ピースロッド等の分割可能なルアーロッドは、コンパクトに収納できるため持ち運びに便利ではあるものの、特許文献１，２に示すように魚の動きを受け止めて吸収するブランクの途中（グリップからロッド先端方向のブランクの途中）に分割のための継部を形成しているため、この継部によって操作時の感度の低下，重量の増加，強度低下等の弊害を来してしまう。
【０００７】
これに対して、１ピースロッドは前記したようなブランクの途中における継部が存在しない分、ルアーロッドに伝わる情報を妨げるものが少ないので、感度が高く強度にも優れている。中でも、キャスティング時や釣り上げ動作時に負荷のかかるブランクがルアーロッドの先端（ディップ）からロッド後端まで１本のブランクで製造されているブランクスルー型のルアーロッドは感度，強度，軽さともに最も優れている。
【０００８】
図３はブランクスルー型のルアーロッド６０の要部説明図であり、図においてブランク６１は、ロッド後端６０ａからロッド先端（図示略）まで継部のないカーボンやチタン等の適宜の素材からなる１本の部材として形成されている。６２はルアーロッド６０を握持するためのグリップであり、リールを装着するためのリールシート６２ａが一体形成されている。６３はロッド後端６０ａを保護するための後端カバーである。なお、ブランク６１には所定間隔でガイド（図示略）が装着されている。
【０００９】
しかしながら、上記したブランクスルー型のルアーロッド６０は、長さ寸法を短縮できないため、携行時に他人の迷惑となったり、ルアーロッドを損傷してしまったり、通常の輸送サービス手段では輸送できないこと等の不便がある。
【００１０】
例えば、釣り船に乗船してルアーフィッシングを楽しむ場合には、複数本のルアーロッドを準備しておくことが多い。この場合、釣り船には他の釣り客も乗船していることが一般的であるため、他の釣り客に迷惑を掛けないようにし、又自宅から釣り場までの移動時には、公共交通機関を利用する場合は勿論、自家用車を使用する場合も、ルアーロッドの損傷防止や取扱を容易とするために、ルアーロッドの長さを弊害が生じない長さまで短縮できることが望ましい。
【００１１】
近時は釣り具を宿泊先，釣り宿や自宅等まで宅配便等の輸送サービス手段を使用して輸送することも多いが、その場合にもルアーロッドの全長が問題となる。主たる輸送サービスの取扱サイズは荷物の３辺の合計サイズの最大が１．６ｍ〜１．７ｍ程度であり、このサイズを超える荷物は輸送料金が高額となるとともに、利便性にも欠けてしまう。１ピースロッドの多くは全長１．６ｍ〜１．８ｍであり、長いものは２．１ｍ程度である。そのため、輸送サービスの提供を受けられないものが多い。
【００１２】
更に、保管時や輸送時には、変形防止や安全性のためにルアーロッドを立てた状態を保持することが最善であるが、全長１．６ｍ〜１．８ｍの１ピースロッドの保管や輸送には注意が必要であり、保管時や輸送時に損傷してしまうことも多い。
【００１３】
１ピースロッドには、図３に示すブランクスルー型のルアーロッド６０の外に、ブランクを継ぎ足して１ピースとしているジョイント型のルアーロッドも存在する。図４はジョイント型のルアーロッド７０の要部説明図であり、グリップ７２及びリールシート７２ａを一体として具備するグリップブランク７４とブランク７１を継部７５において継ぎ足して１ピースとしている。このジョイント型のルアーロッド７０は、外観はブランクスルー型のルアーロッド６０と同様であるが、グリップ７２内に継部７５が存在する。７３はロッド後端７０ａを保護するための後端カバーである。
【００１４】
しかしながら、ジョイント型のルアーロッド７０は、１ピースロッドではあるものの、キャスティング時や魚を釣り上げるための操作時に負荷のかかるグリップ７２及びリールシート７２ａ内に継ぎ足しのための継部７５が存在することにより、この継部７５に負荷がかかって折れやすくなり、又継部７５を補強するために強度を上げたり、補強部品を追加すると、感度が損なわれることとなり、その分重量も増加してしまう。
【００１５】
よって、ブランクスルー型のルアーロッド６０は、感度，強度，軽さ等のルアーロッドとしての基本的性能には優れているものの、全長を短縮させることができないため、保管時や輸送時の取扱性に課題を有する。一方、特許文献１，２に示すような２ピースロッド等の分割可能なルアーロッドは、全長を短縮させることができ、取り扱い性にはすぐれているものの感度，強度，軽さ等のルアーロッドとしての基本的性能に課題を残している。更に、ジョイント型のルアーロッド７０は全長を短縮させることができないとともに、ブランクスルー型のルアーロッド６０に比べて感度，強度，軽さ等のルアーロッドとしての基本的性能において構造的な課題を内在している。
【００１６】
そこで、本発明は上記した分割可能なルアーロッドとブランクスルー型のルアーロッドの双方の長所を同時に活かすとともに、双方の課題を同時に解決するという新たな課題を設定し、この新たな課題を解決するために、ルアーロッドを分割可能として携行時における全長を短縮するとともに、使用時においてはブランクスルー型のルアーロッドの感度を具備した新規なルアーロッドを提供することを目的とする。
【課題を解決するための手段】
【００１７】
本発明はその目的を達成するために、ルアーロッドを握持して操作するためのグリップをロッド後端から所定長さ離間させてブランクに装着してなるルアーロッドにおいて、ロッド後端とグリップの間の所定箇所に継部を形成し、該継部においてルアーロッドを分割可能に形成するとともに、継部から先端方向のブランクを１本のブランクで形成したルアーロッドを基本として提供する。
【００１８】
そして、継部をグリップの近傍に形成し、ブランクを、継部からロッド先端までの第１ブランクと継部からロッド後端までの第２ブランクから形成するとともに、第１ブランクの長さ≦１６０ｃｍ，第２ブランクの長さ≦５０ｃｍであって、ルアーロッドの全長を１６０ｃｍ〜２１０ｃｍとする。
【００１９】
また、継部において、ブランクを分割することにより、携行時におけるルアーロッドの全長を短縮可能とし、リールを装着するためのリールシートをグリップに一体に形成する。更に、リールシートにスピニングリール又はベイトリールを装着可能とし、グリップを握持して、リールシートに装着されたリールを操作して釣りを行う際に、魚の動作を受け止めるリールシートとグリップから先端方向のブランクに継部が存在しないようにする。
【発明の効果】
【００２０】
上記構成の本発明によれば、ロッド後端とリールシートの間の所定箇所に継部を形成し、該継部においてルアーロッドを分割することができるため、保管時や輸送時においてルアーロッドの全長を短縮することができ、取扱性を向上させるとともに、ロッド先端等の損傷を防ぐことができる。更に、全長を短縮させることによって、各種の輸送サービスの取扱サイズ内に納めることができるため、ルアーロッドに各種輸送サービスによる輸送適性を付与することができる。
【００２１】
そして、分割のための継部は、ロッド後端とリールシートの間にあって、継部から先端方向のブランクを１本のブランクで形成しているため、キャスティング時や釣り上げ動作時に最も負荷のかかるリールシートからロッド先端までの間に継部が存在しない１本のブランクで形成しているため、ルアーロッドとして良好な感度を維持することができる。更に、継部は感度に影響を与えない位置にあるため、十分な強度を付与することができ、補強対策を講じることも可能である。
【００２２】
よって、本発明によれば、２ピースロッドやオフセットグリップ型のルアーロッドの長所を活かしつつ、ブランクスルー型のルアーロッドの性能を発揮することができる。即ち、ルアーロッドを分割可能として携行時における全長を短縮するとともに、使用時においてはブランクスルー型のルアーロッドの感度を具備した新規なルアーロッドを提供することができる。
【図面の簡単な説明】
【００２３】
【図１】本発明にかかるルアーロッドの要部説明図。
【図２】本発明にかかるルアーロッドの全体図。
【図３】ブランクスルー型のルアーロッドの要部説明図。
【図４】ジョイント型のルアーロッドの要部説明図。
【発明を実施するための形態】
【００２４】
以下図面に基づいて本発明にかかるルアーロッドの実施形態を説明する。図１は本発明にかかるルアーロッドの要部説明図、図２はその全体図である。図において、１は本発明にかかるルアーロッドであり、アングラーがルアーロッド１を握持して操作するためのグリップ３０をロッド後端１ａから所定長さＤだけ離間させてブランク１０（シャフト）に装着している。グリップ３０には、ルアーロッド１にリール装着するためのリールシート３０ａを一体に形成している。また、ロッド後端１ａの所定範囲を後端カバー５０で被覆している。このグリップ３０，リールシート３０ａ及び後端カバー５０の素材としては特に限定はないが、通常ポリエチレンよりも弾性が高いＥＶＡ樹脂（エチレンと酢酸ビニルとの共重合樹脂）、或いはコルクを用いるのが適当である。リールシート３０ａにはスピニングリール又はベイトリールを装着可能である。４０はリールから繰り出したラインを挿通するための環状のガイドである。
【００２５】
ルアーロッド１の本体となるブランク１０は、ロッド後端１ａとグリップ３０の間におけるグリップ３０の近傍に形成された継部２０において分割可能であり、継部２０からロッド先端１ｂまでの第１ブランク１０ａと継部２０からロッド後端１ａまでの第２ブランク１０ｂから形成している。そして、継部２０からロッド先端１ｂ方向の第１ブランク１０ａを１本のブランクで形成している。よって、ルアーロッド１は継部２０において、分割することにより、保管時や輸送時等の不使用時において、第２ブランク１０ｂを分割することによりルアーロッド１の全長を短縮することが可能となり、ルアーロッド１の全長を第１ブランク１０ａ長さに短縮することができる。
【００２６】
継部２０の構造は特に限定はなく、印籠継ぎ，並継ぎ等適宜の継ぎ構造を採用することが可能である。本実施形態では、グリップ３０から突出した第１ブランク１０ａの開放端部を第２ブランク１０ｂ内に挿通して一体となるように固定した。この第１ブランク１０ａの長さＬ１を≦１６０ｃｍ、第２ブランク１０ｂの長さＬ２は≦５０ｃｍ程度が適当であり、ルアーロッド１の全長Ｌを１６０ｃｍ〜２１０ｃｍとするとよい。
【００２７】
ルアーロッド１の使用時には、継部２０において、第１ブランク１０ａと第２ブランク１０ｂを連結して固定し、グリップ３０に所定のリールを装着し、ラインをリールからガイド４０を介して繰り出し、適宜のルアーを装着して使用する。キャスティング時，ルアーの操作時や魚を釣り上げるための操作時には、グリップ３０を握持して操作する。そのため、キャスティング時や釣り上げ動作時に負荷のかかるルアーロッド１を握持するグリップ３０やリールを装着するリールシート３０ａより前方、即ちロッド先端１ｂ方向の第１ブランク１０ａは１本のブランク素材から形成されており、継部は存在しない。
【００２８】
魚を釣り上げる際の感度は専らグリップ３０よりロッド先端１ｂ方向の第１ブランク１０ａによって決定され、同様に魚を釣り上げる際の負荷を受けるグリップ３０よりロッド先端１ｂ方向の第１ブランク１０ａ上に存在する。よって、本発明によれば、ルアーロッド１の操作時には感度，強度等において、ブランクスルー型のルアーロッド６０の特性を実現することができる。なお、継部２０の存在により、部品点数が増加し、その分重量増加を伴うが、重量増加の原因となる継部２０はグリップ３０より後方に配置されるため、持ち重りを感じにくい。
【００２９】
一方、不使用時や保管時，輸送時には、継部２０において、第１ブランク１０ａと第２ブランク１０ｂを分割することによって、第２ブランク１０ｂの全長分だけルアーロッド１の全長を短縮することができ、コンパクトに収納できて、携行時に他人の迷惑となったり、ルアーロッドを損傷してしまったりすることがない。また、各種の輸送サービスの提供を受けることが可能である。この第２ブランク１０ｂを分割することによる長さの短縮は数値上は僅かであるが、これにより、従来不可能であった輸送サービス手段による輸送を可能とすることができる。例えば、全長１８０ｃｍのルアーロッド１は宅配便で輸送することができないが、３０ｃｍの第２ブランクを取り外して分割すれば、全長１５０ｃｍとなって、輸送することが可能となる。
【産業上の利用可能性】
【００３０】
上記構成の本発明によれば、ロッド後端とリールシートの間の所定箇所に継部を形成し、該継部においてルアーロッドを分割することができるため、保管時や輸送時においてルアーロッドの全長を短縮することができ、取扱性を向上させるととともに、ロッド先端等の損傷を防ぐことができる。更に、全長を短縮させることによって、各種の輸送サービスの取扱サイズ内に納めることができるため、ルアーロッドに各種輸送サービスによる輸送適性を付与することができる。
【００３１】
そして、分割のための継部は、ロッド後端とリールシートの間にあって、継部から先端方向のブランクを１本のブランクで形成しているため、キャスティング時や釣り上げ動作時に最も負荷のかかるリールシートからロッド先端までの間に継部が存在しない１本のブランクで形成しているため、ルアーロッドとして良好な感度を維持することができる。更に、継部は感度に影響を与えない位置にあるため、十分な強度を付与することができ、補強対策を講じることも可能である。
【００３２】
よって、本発明によれば、２ピースロッドやオフセットグリップ型のルアーロッドの長所を活かしつつ、ブランクスルー型のルアーロッドの性能を発揮することができる。即ち、ルアーロッドを分割可能として携行時における全長を短縮するとともに、使用時においてはブランクスルー型のルアーロッドの感度を具備した新規なルアーロッドを提供することができる。
【符号の説明】
【００３３】
１…ルアーロッド
１ａ…ロッド後端
１ｂ…ロッド先端
１０…ブランク
１０ａ…第１ブランク
１０ｂ…第２ブランク
２０…継部
３０…グリップ
３０ａ…リールシート
４０…ガイド
５０…後端カバー
【図１】
2018007584.tif 000003
【図２】
2018007584.tif 000004
【図３】
2018007584.tif 000005
【図４】
2018007584.tif 000006